(57)【要約】      （修正有）【課題】収納物を容易に出し入れすることができ、且つ、商品の流通時に、収納物が抜け出ない収納ラベルを提供する。【解決手段】重ね合わせた上フィルム２及び下フィルム３の縁部が接着され、上フィルム２及び下フィルム３の層間に収納部が形成されたラベル本体６と、前記収納部に収納された収納物１０と、を有する収納ラベル１であって、上フィルム２の一縁部２ａに於いて、収納物１０を出入れ可能な開口４が形成されており、上フィルム２の下面の少なくとも一部分または収納物の上面の少なくとも一部分のうち、いずれか一方に接着層が設けられ且つ他方に易剥離層９が設けられ、接着層を易剥離層に接着することにより、上フィルム２の下面と収納物の上面が部分的に弱接着された部分弱接着部１１が設けられている。【選択図】  図２
2008286906.tif 000002
【特許請求の範囲】
【請求項１】
重ね合わせた上フィルム及び下フィルムの縁部が接着され、上フィルム及び下フィルムの層間に収納部が形成されたラベル本体と、前記収納部に収納された収納物と、を有する収納ラベルであって、
前記上フィルムの一縁部に於いて、収納部に収納された収納物を出入れ可能な開口が形成されており、
上フィルムの下面の少なくとも一部分または収納物の上面の少なくとも一部分のうち、いずれか一方に接着層が設けられ且つ他方に易剥離層が設けられ、
前記接着層を易剥離層に接着することにより、上フィルムの下面と収納物の上面が部分的に弱接着された部分弱接着部が設けられていることを特徴とする収納ラベル。
【請求項２】
重ね合わせた上フィルム及び下フィルムの縁部が接着され、上フィルム及び下フィルムの層間に収納部が形成されたラベル本体と、前記収納部に収納された収納物と、を有する収納ラベルであって、
前記上フィルムの一縁部に於いて、収納部に収納された収納物を出入れ可能な開口が形成されており、
下フィルムの上面の少なくとも一部分または収納物の下面の少なくとも一部分のうち、いずれか一方に接着層が設けられ且つ他方に易剥離層が設けられ、
前記接着層を易剥離層に接着することにより、下フィルムの上面と収納物の下面が部分的に弱接着された部分弱接着部が設けられていることを特徴とする収納ラベル。
【請求項３】
前記部分弱接着部が、上フィルムの一縁部の近傍部分または上フィルムの一縁部を含む部分に設けられている請求項１に記載の収納ラベル。
【請求項４】
下フィルムが、上フィルムの一縁部よりも外側へ延出されている請求項１〜３のいずれかに記載の収納ラベル。
【発明の詳細な説明】
【技術分野】
【０００１】
本発明は、周縁部が接着された２枚のフィルムの間に説明書などが収納された収納ラベルに関する。
【背景技術】
【０００２】
従来、懸賞応募ハガキ、薬品能書、取扱説明書、商品説明書、懸賞応募説明書などの各種説明書、保証書などの各種証明書類、小冊子、各種カード類、付録などの扁平状の収納物を商品に添付するため、該収納物を収納した状態で商品に貼着できる袋状の収納ラベルが知られている。
かかる収納ラベルとして、裏面に接着剤を塗布した合成樹脂製ラベル基片の上に、能書を載せ、合成樹脂製フィルムによって周囲を熱溶着した能書入りラベルが知られている（特許文献１）。
【０００３】
上記収納ラベルは、接着剤を介して、薬品容器などの商品に貼着され、流通に供される。そして、該商品の使用者は、収納ラベルの一側を切断して開口を形成し、能書などの収納物を取り出す。
【特許文献１】特開平１１−２７２１７０号公報
【発明の開示】
【発明が解決しようとする課題】
【０００４】
しかしながら、従来の収納ラベルは、能書などの収納物を取り出すため、収納ラベルの一側を切断しなければならず、この作業が面倒である。
特に、収納ラベルは、その裏面側が商品に貼着されているため、商品に貼着したままでは、収納ラベルの一側を切断し難い。このため、収納ラベルを商品から剥がし、その一側を切断するが、そうすると、収納ラベルが商品から剥がれてしまい、収納物を再収納した収納ラベルを商品に貼着した状態で保管することができない。
【０００５】
このような問題点に鑑みて、本発明者らは、予め、収納ラベルの一側に、収納物を出し入れするための開口を形成しておくことを検討した。
しかしながら、予め開口が形成されている収納ラベルは、これを商品に貼着して流通させた際に、該開口から収納物が抜け出ることがある。
【０００６】
本発明は、収納物を容易に出し入れすることができ、且つ、商品の流通時に、収納物が抜け出ない収納ラベルを提供することを課題とする。
【課題を解決するための手段】
【０００７】
本発明は、重ね合わせた上フィルム及び下フィルムの縁部が接着され、上フィルム及び下フィルムの層間に収納部が形成されたラベル本体と、前記収納部に収納された収納物と、を有する収納ラベルであって、上フィルムの一縁部に於いて、収納部に収納された収納物を出入れ可能な開口が形成されており、上フィルムの下面の少なくとも一部分または収納物の上面の少なくとも一部分のうち、いずれか一方に接着層が設けられ且つ他方に易剥離層が設けられ、接着層を易剥離層に接着することにより、上フィルムの下面と収納物の上面が部分的に弱接着された部分弱接着部が設けられていることを特徴とする。
【０００８】
上記収納ラベルは、任意の商品に貼着され、流通に供される。該収納ラベルは、収納物が上フィルムに対して部分弱接着部を介して接着されているので、収納ラベルが貼着された商品を搬送などした際に、収納物が収納ラベルの収納部から抜け出ることを防止できる。
一方、部分弱接着部は、上フィルムまたは収納部のいずれか一方に設けられた接着層と、そのいずれか他方に設けられた易剥離層とが接着されている部分である。このため、手で上フィルムを引き上げ、上フィルムを収納物から離反させることにより、接着層と易剥離層の層間に離反力が作用し、部分弱接着部を剥離することができる。
従って、使用者が、上記のように部分弱接着部を剥離すれば、上記開口を通じて収納物を収納ラベルから取り出すことができる。なお、取り出した後、上記開口を通じて収納部内に収納物を再収納することも可能である。
【０００９】
また、本発明は、重ね合わせた上フィルム及び下フィルムの縁部が接着され、上フィルム及び下フィルムの層間に収納部が形成されたラベル本体と、前記収納部に収納された収納物と、を有する収納ラベルであって、上フィルムの一縁部に於いて、収納部に収納された収納物を出入れ可能な開口が形成されており、下フィルムの上面の少なくとも一部分または収納物の下面の少なくとも一部分のうち、いずれか一方に接着層が設けられ且つ他方に易剥離層が設けられ、接着層を易剥離層に接着することにより、下フィルムの上面と収納物の下面が部分的に弱接着された部分弱接着部が設けられていることを特徴とする。
【００１０】
上記収納ラベルも同様に、収納物が下フィルムに対して部分弱接着部を介して接着されているので、収納物が収納ラベルの収納部から抜け出ることを防止できる。
一方、上記収納ラベルは、部分弱接着部を剥離することにより、開口を通じて収納物を出し入れすることができる。
【００１１】
本発明の好ましい収納ラベルは、上記部分弱接着部が、上フィルムの一縁部の近傍部分または上フィルムの一縁部を含む部分に設けられている。
【００１２】
上記好ましい収納ラベルのように、記部分弱接着部が、上フィルムの一縁部の近傍部分または上フィルムの一縁部を含む部分に設けられている場合には、上フィルムの一縁部（すなわち、開口が形成された縁部）から上フィルムを引き上げた際、接着層と易剥離層の層間に大きな離反力が作用する。このため、部分弱接着部を容易に剥離することができる。
【００１３】
本発明の他の好ましい収納ラベルは、上記下フィルムが、上フィルムの一縁部よりも外側へ延出されている。
【００１４】
上記好ましい収納ラベルは、下フィルムの延出上面に指を当てながら開口へと指を滑り込ませることにより、上フィルムの一縁部の下面に指を入れやすくなる。このため、上記上フィルムの一縁部に指を入れて、上フィルムを容易に引き上げることができる。
【発明の効果】
【００１５】
本発明に係る収納ラベルは、部分弱接着部を介して収納物が接着されているので、商品の流通時に、収納物が抜け出ることを防止できる。
また、上記部分弱接着部は、易剥離層に接着層が接着した部分なので、手で剥離することができる。このように部分弱接着部を剥離することにより、開口を通じて、収納物を出し入れすることができる。
【発明を実施するための最良の形態】
【００１６】
以下、本発明について、図面を参照しつつ具体的に説明する。
ただし、本発明において、「上」とは、商品に貼着した際の収納ラベルを基準にして、商品から離れる側を指し、「下」とは、前記商品に近い側を指す。
＜第１実施形態＞
第１実施形態は、上フィルムと収納物が部分弱接着部を介して弱接着されている収納ラベルに関する。
図１は、第１実施形態の収納ラベルの平面図を示す。なお、接着部を判りやすくするため、便宜上、周縁接着部を網掛け部分で示し、部分弱接着部を薄墨塗りで示している。また、図２は、図１のI−I線及びII−II線の各端面図を示す。
【００１７】
図１及び図２に於いて、１は、上下２層のフィルム２，３の縁部を接着することにより、内部に収納物１０を収納可能な収納部５が形成されているラベル本体６と、このラベル本体６の収納部５に収納された収納物１０と、を備える収納ラベルを示す。
なお、本発明に於いて、フィルムとは、一般にシートと呼ばれているものを含む意味である。
【００１８】
上フィルム２は、特に限定されず、例えば、合成樹脂製フィルム、紙、合成紙、合成樹脂製フィルムと紙の積層体などの積層フィルムなどの公知のフィルムを使用することができる。上フィルム２は、耐熱性に優れ且つ剛性も有することから、ポリエチレンテレフタレートフィルムなどのポリエステル系、ポリアミド系、ポリプロピレンなどのポリオレフィン系などの合成樹脂製フィルムを用いることが好ましく、特に、これらの二軸延伸フィルムを用いることがより好ましい。
また、上フィルム２は、収納部５に収納された収納物１０を透視できるようにするため、透明又は半透明のフィルムを用いることが好ましい。
上フィルム２は、通常、厚み１０〜１００μｍ程度のものが用いられる。
【００１９】
この上フィルム２の下面全体に、感熱性接着剤を塗工することにより、接着層８が上フィルム２に積層されている。
接着層８を構成する感熱性接着剤は、室温では接着性を示さず且つ加熱されることによって活性化して接着性を発現しうる接着剤である。なお、本発明において、接着剤とは、接着した後、剥離すると再接着できないものをいう（ただし、下記ディレードタック型感熱接着剤の場合には、接着後、数時間〜数日程度は粘着性を有する）。
感熱性接着剤の種類としては、例えば、ディレードタック型感熱接着剤、固体可塑剤を含まないエマルジョン型感熱接着剤（以下、単に「エマルジョン型感熱接着剤」と記す）、溶剤型感熱接着剤、ホットメルト型接着剤などが挙げられる。
感熱性接着剤は、透明（半透明を含む）又は非透明の何れでもよいが、透明（半透明を含む）なものが好ましい。
【００２０】
ディレードタック型感熱接着剤は、室温で接着性を示さず、加熱することによって活性化して接着性を示し且つ冷却後長時間に亘ってそれが持続するものであり、グラビアコーティングなどの印刷によって塗工可能な接着剤である。ディレードタック型感熱接着剤としては、例えば、エチレン−酢酸ビニル共重合体、酢酸ビニル−アクリル酸エステル共重合体、合成ゴムなどのベース樹脂に粘着付与剤及び固体可塑剤が配合されたエマルジョン型のものなどが例示される。
エマルジョン型感熱接着剤及び溶剤型感熱接着剤は、室温で接着性を示さず、加熱によって接着性を示し、例えば、エチレン−酢酸ビニル共重合体などの熱接着性樹脂と粘着付与剤などを水又は有機溶剤などに溶解又は分散させた溶液を、グラビアコーティングなどの印刷によって塗工可能な接着剤であり、塗工後乾燥して使用するものである。
ホットメルト型接着剤は、常温で接着性を示さず、加熱することによって接着可能となるものであり、加熱溶融することによって塗工可能な接着剤である。ホットメルト型接着剤としては、例えば、エチレン−酢酸ビニル共重合体やエチレンアクリル酸共重合体などのエチレン系樹脂、スチレン−ブタジエンブロック共重合体などのベース樹脂に粘着付与剤などの添加剤が配合されたものが例示される。
接着層８の厚みは、特に限定されず、通常、３μｍ〜２０μｍ程度である。
【００２１】
上記感熱性接着剤は、その活性化温度が、８０℃〜１４０℃程度のものが好ましく、より好ましくは１００℃〜１２０℃程度である。
【００２２】
一方、下フィルム３は、特に限定されず、例えば、合成樹脂製フィルム、紙、合成紙、合成樹脂製フィルムと紙の積層体などの積層フィルムなどの公知のフィルムを使用することができる。下フィルム３は、耐熱性などに優れることから、ポリエチレンテレフタレートフィルムなどのポリエステル系、ポリアミド系、ポリプロピレンなどのポリオレフィン系などの合成樹脂製フィルムや紙を用いることが好ましい。下フィルム３は、透明に形成できる観点では、合成樹脂製フィルムを用いることができ、安価であるという観点では、紙を用いることができる。なお、合成樹脂製フィルムを用いる場合には、二軸延伸フィルムが好ましい。
下フィルム３は、通常、厚み３０〜３００μｍ程度のものが用いられる。
なお、下フィルム３と上フィルム２は、同一又は同種のものでも良いし、又は異なるものでもよい。
【００２３】
この下フィルム３の下面全体に、感圧型粘着剤を塗工することにより、貼着層７が下フィルム３に積層されている。
貼着層７を構成する感圧型粘着剤は、室温で粘着性を示す粘着剤である。なお、本発明において、粘着剤とは、接着した後、剥離しても再接着可能なものをいう。
上記感圧型粘着剤は、各種粘着テープに用いられている公知のもの（アクリル系、ゴム系、ウレタン系など）を用いることができる。貼着層７の厚みは、特に限定されず、通常、１０〜５０μｍ程度である。
貼着層７が設けられた下フィルム３は、通常、離型紙（図示せず）に仮貼付されており、収納ラベル１の使用時に、離型紙から引き剥がされる。
【００２４】
なお、上記感圧型粘着剤に代えて、感熱性接着剤を用いて貼着層７が形成されていてもよい。該感熱性接着剤としては、上記に例示したものが挙げられる。貼着層７として感熱性接着剤を用いた場合には、上記離型紙が不要となる。
【００２５】
上フィルム２及び下フィルム３の形状は、特に限定されず、収納物１０の大きさやデザイン性などを考慮して、適宜な形状に形成できる。通常、収納物１０は、平面視矩形状のものが多いので、上フィルム２及び下フィルム３は、それぞれ矩形状に形成される。
本実施形態では、下フィルム３を上フィルム２の一縁部２ａよりも外側へ延出させるため、下フィルム３は、上フィルム２よりも横長の矩形状に形成されている。
【００２６】
かかる形状の上下フィルム２，３は、下記のようにして重ね合わされ、縁部が接着されている。
すなわち、上フィルム２の他縁部２ｂ（一縁部２ａに対向する縁部）及び両側縁部２ｃ，２ｃ（一縁部２ａの両端から直交方向に延びる縁部）と、下フィルム３の他縁部３ｂ（一縁部３ａに対向する縁部）及び両側縁部３ｃ，３ｃ（一縁部３ａの両端から直交方向に延びる縁部）とは、揃えられている。一方、下フィルム３の一縁部３ａは、上フィルム２の一縁部２ａよりも外側に位置している。従って、上フィルム２の一縁部２ａの外側に下フィルム３の一部が延出されている。
【００２７】
かかる上フィルム２の他縁部２ｂ及び両側縁部２ｃ，２ｃの下面と、下フィルム３の他縁部３ｂ及び両側縁部３ｃ，３ｃの上面とは、感熱性接着剤からなる接着層８を介して所定幅接着されている。かかる３方縁部に於ける接着幅は、収納ラベル１の大きさなどに応じて適宜設定されるが、通常、３ｍｍ〜８ｍｍ程度である。また、３方縁部に於ける周縁接着部は、上フィルム２の上面から加熱し、感熱性接着剤を活性化させ、上下フィルム２，３の層間を接着することにより、形成されている。
このように３方縁部が接着されることにより、上下フィルム２，３間に収納部５が形成され且つ上フィルム２の一縁部２ａに前記収納部５に連通する開口４が形成された、３方閉塞型矩形状のラベル本体６が構成されている。
【００２８】
次に、収納物１０は、上記ラベル本体６の収納部５に収納されている。
該収納物１０としては、例えば、懸賞応募ハガキ、薬品能書、取扱説明書、商品説明書、懸賞応募説明書などの各種説明書、保証書などの各種証明書類、小冊子、各種カード類、コイン状物品、付録などの扁平状の収納物が挙げられる。また、収納物１０は、このような扁平状のものに限られず、ある程度嵩高いものでもよい。
収納物１０は、通常、平面視矩形状のものが多く用いられている。なお、収納物１０が、例えば、上記懸賞応募ハガキ、薬品能書などのように比較的大面積の枚葉体の場合には、該収納物１０は、適宜な大きさに折り畳まれている。収納物１０の厚みは、通常、０．３ｍｍ〜４ｍｍ程度である。
【００２９】
さらに、収納物１０の上面の一部分には、易剥離層９が設けられている。
具体的には、収納物１０の一縁部１０ａの中央部近傍において、易剥離層９が設けられている。
易剥離層９の形成面積は、特に限定されないが、余りに小さいと部分弱接着部１１の面積が小さくなることから、１ｃｍ２以上が好ましい。なお、本実施形態では、易剥離層９は、平面視略円形状に形成されている。なお、易剥離層９は、収納物１０の上面全体に形成してもよい。易剥離層９を上面全体に形成しても、該易剥離層９の一部分に接着層８を接着することにより、部分弱接着部１１を形成することができるからである。
【００３０】
易剥離層９の形成材料としては、上記接着層８の接着力が小さくなり、接着層８と易剥離層９の層間を容易に剥離できるものであれば特に限定されない。該形成材料としては、例えば、シリコーン、フッ素化合物、ワックス類などの剥離剤を含有するインキなどを用いることができる。
また、易剥離層９の形成材料は、透明（半透明を含む）又は非透明の何れでもよい。もっとも、本実施形態では、易剥離層９が収納物１０の上面部分に設けられることから、該収納物１０の上面を透視できるようにするため、易剥離層９の形成材料は透明（半透明を含む）なものが好ましい。なお、収納物１０が、文字などを記入する記入欄を有する場合（例えば、収納物１０が懸賞応募ハガキなどの場合）には、上記易剥離層９は、前記収納物１０の記入欄以外に形成されていることが好ましい。易剥離層９の上から筆記具を用いて文字などを記入し難いからである。
上記易剥離層９の形成材料（インキ）は、例えば、剥離剤、樹脂成分、溶剤、各種添加剤を混合して調製することができる。例えば、公知のインキ（グラビア印刷用インキ、紫外線硬化型インキ、スクリーン印刷用インキなど各種印刷用インキ）に、剥離剤を加えることにより、易剥離層９のインキを調製することができる。かかるインキを用いて、公知の印刷法によって、易剥離層９が、収納物１０の上面に部分的に形成されている。
易剥離層９の厚みは、特に限定されず、例えば、０．１〜１０μｍ程度が好ましい。
【００３１】
上記収納物１０は、その一縁部１０ａが上フィルム２の一縁部２ａよりも外側に延出されるように、収納部５に収納されている。好ましくは、収納物１０の一縁部１０ａが、上フィルム２の一縁部２ａと下フィルム３の一縁部３ａの間に位置するように、収納物１０が収納されている。ただし、収納物１０の易剥離層９は、上フィルム２に覆われている。
【００３２】
上記収納物１０が収納された状態において、収納物１０の易剥離層９に、上フィルム２の接着層８が接着されている（この接着部を、部分弱接着部１１という）。該部分弱接着部１１は、易剥離層９に対応する上フィルム２の一部分を、上フィルム２の上面から加熱し、感熱性接着剤を活性化させることにより、易剥離層９とこれに対応する接着層８の一部分が接着されている。
部分弱接着部１１の形成面積は、特に限定されないが、余りに小さいと収納物１０と上フィルム２が不用意に外れる虞があるため、０．１ｃｍ２以上が好ましい。また、部分弱接着部１１の形成面積は、余りに大きいと収納物１０を取り出し難くなるため、３ｃｍ２以下が好ましい。なお、易剥離層９が収納物１０の上面に部分的に設けられている場合には、部分弱接着部１１は、該易剥離層９の形成範囲内に形成される。接着層８を収納物１０の上面に直接接着すると、収納物１０を取り出すことが困難となるからである。従って、部分弱接着部１１は、上フィルム２の一縁部２ａの近傍部分に設けられている。なお、この近傍部分とは、部分弱接着部１１の縁が上フィルム２の一縁部２ａから１５ｍｍ以内、好ましくは１０ｍｍ以内の位置に設けられることを意味する。
【００３３】
上記部分弱接着部１１は、接着層８を易剥離層９に接着した部分であるため、該部分弱接着部１１を介して、収納物１０の上面と上フィルム２の下面は、弱く接着している。
この部分弱接着部１１に於ける接着強度は、０．１〜３．０Ｎ／１５ｍｍ、好ましくは、０．５〜２．０Ｎ／１５ｍｍである。なお、上下フィルム２，３の縁部（３方縁部）に於ける接着強度（易剥離層を介さずに接着した場合の接着強度）は、３．０〜６．０Ｎ／１５ｍｍ程度である。
ただし、上記接着強度は、ＪＩＳ  Ｋ  ６８５４−３に準じた測定方法（剥離速度３００ｍｍ／分でのＴ型剥離試験）により求められる。
【００３４】
上記収納ラベル１は、例えば、次の方法にて製造できる。
下面に貼着層７（感圧型粘着剤）がベタ状に塗工され且つ離型紙に仮貼付された長尺状のフィルム原反を準備する。なお、該フィルム原反の幅は、上記下フィルム３の長さの２倍のものが用いられる（以下、この２倍幅の長尺状フィルム原反を「下フィルム原反」という）。
一方、下面に接着層８（感熱性接着剤）がベタ状に塗工された長尺状のフィルムを準備する。なお、該フィルム原反の幅は、上記上フィルム２の長さの２倍のものが用いられる（以下、この２倍幅の長尺状フィルム原反を「上フィルム原反」という）。
他方、一縁部１０ａの近傍に易剥離層９が設けられた収納物１０を複数準備する。
【００３５】
図３（ａ）に示すように、下フィルム原反３１の上面に、収納物１０を幅方向２列に且つ長手方向に順次並べていく。次に、図３（ｂ）に示すように、その上から上フィルム原反２１を被せる。上フィルム原反２１は、左右の収納物１０の各易剥離層９を覆いつつ、両側縁部が下フィルム原反３１の両側縁部の内側に位置するようにして、下フィルム原反３１の上に被せられる。
【００３６】
次に、上フィルム原反２１のうち、収納物１０の３方縁部の外側部分及び易剥離層９に対面する部分の上から熱コテを当て、前記外側部分に対応する接着層８及び易剥離層９に対応する接着層８をそれぞれ活性化させる。
加熱によって活性化された接着層８を介して、同図に示すように、収納物１０の３方縁部の外側における上フィルム原反２１の下面と下フィルム原反３１の上面が熱溶着されて周縁接着部が形成されると共に、上フィルム原反２１の下面と易剥離層９の上面が部分的に熱溶着されて部分弱接着部１１が形成される。
かかる溶着により、開口４を有し且つ収納物１０が収納された収納部５が形成されると共に、部分弱接着部１１が形成された収納ラベル１を作製することができる。
最後に、個々の収納ラベル１毎に上下フィルム原反２１，３１を打ち抜き、その打ち抜き滓を除去することにより、長尺状の離型紙の長手方向に、複数の収納ラベル１が仮貼付されたラベル連続体を得ることができる。
【００３７】
なお、上記製法は、１枚の長尺状の離型紙に２列の収納ラベル１を一時に作製する方法について説明したが、これに限られず、１枚の長尺状の離型紙に４列以上の偶数列の収納ラベル１を一時に作製するように変更することもでき、又、１枚の長尺状の離型紙に１列以上の奇数列の収納ラベル１を作製するように変更することもできる。
【００３８】
上記収納ラベル１は、離型紙から引き剥がし、貼着層７を介して、適宜な商品に貼着される。
上記収納ラベル１は、収納物１０が上フィルム２に対して部分弱接着部１１を介して接着されているので、該収納ラベル１が貼着された商品を搬送などした際に、収納物１０が収納部５から抜け出ることを防止できる。
この部分弱接着部１１は、上フィルム２に設けられた接着層８と、収納物１０に設けられた易剥離層９とが接着されている部分である。このため、開口４から上フィルム２の一縁部ａに指を入れ、上フィルム２の一縁部２ａを上方へ引き上げることにより、上フィルム２に設けられた接着層８が上方に引き上げられ、該接着層８と易剥離層９の層間に離反力が作用する。よって、部分弱接着部１１を剥離することができる。
このように部分弱接着部１１を剥離すれば、開口４を通じて収納物１０を収納部５から取り出すことができる。なお、取り出した後、上記開口４を通じて収納部５内に収納物を再収納することも可能である。
【００３９】
また、上記収納ラベル１０は、部分弱接着部１１が、上フィルム２の一縁部２ａの近傍部分に設けられているため、上フィルム２の一縁部２ａから上フィルム２を引き上げた際、接着層と易剥離層の層間に大きな離反力が作用する。このため、上記部分弱接着部１１を容易に剥離することができる。
【００４０】
さらに、上記収納ラベル１は、収納物１０の一縁部１０ａが上フィルム２の一縁部２ａよりも外側に延出されるように、収納物１０が収納部５に収納されている。このため、収納物１０の延出上面に指を当てながら開口４へと指を滑り込ませることにより、上フィルム２の一縁部２ａの下面に指を入れることができる。このように上フィルム２の一縁部２ａに指を入れやすいので、上フィルム２の一縁部２ａを容易に引き上げることができる。
【００４１】
また、上記収納ラベル１は、上フィルム２の下面に接着層８を設け、収納物１０の上面に易剥離層９を設けているので、上下フィルム２，３の縁部を接着する際に上フィルム２の上面を加熱する際、同時に、易剥離層９に接着層８を接着して部分弱接着部１１を形成することができる。
【００４２】
＜第２実施形態＞
第２実施形態は、下フィルムと収納物が部分弱接着部を介して弱接着されている収納ラベルに関する。
以下、本発明の第２実施形態について説明する。ただし、第２実施形態の説明にあたって、主として上記第１実施形態と異なる構成及び作用効果について説明し、同様の構成などについては、その説明を省略し、用語及び符号を援用することがある。
【００４３】
上記第１実施形態では、部分弱接着部１１は、上フィルム２と収納物１０に設けられているが、下フィルム３と収納物１０の間に部分弱接着部１１が設けられていてもよい。
具体的には、該収納ラベル１は、例えば、図４に示すように、下フィルム２の上面全体に感熱性接着剤からなる接着層８がベタ状に設けられ、収納物１０の下面の一部分に、易剥離層９が設けられ、該接着層８のうち、易剥離層９に対応する部分を弱接着することにより、下フィルム３と収納物１０の間が部分弱接着部１１によって接着されている。
この場合、下フィルム３に設けられた接着層８により、上下フィルム２，３の縁部が同様に接着されて、ラベル本体６の周縁接着部が形成される。
このように下フィルム３と収納物１０が部分弱接着部１１を介して接着された収納ラベル１も、上記実施形態と同様に、収納物１０が抜け出ることを防止でき、且つ必要時に収納物１０を下フィルム３から離反させて収納物１０を出し入れすることができる効果を奏する。
【００４４】
＜その他の実施形態＞
他の実施形態は、上記第１実施形態及び第２実施形態に共通する変形例に関する。
以下、他の実施形態の説明にあたって、主として上記第１及び第２実施形態と異なる構成及び作用効果について説明し、同様の構成などについては、その説明を省略し、用語及び符号を援用することがある。
【００４５】
（部分弱接着部の形成位置）
上記第１実施形態では、部分弱接着部１１は、上フィルム２の一縁部２ａの近傍部分に設けられているが、部分弱接着部１１が、上フィルム２の一縁部２ａを含む部分に設けられていてもよい。
また、上記第２実施形態では、部分弱接着部１１は、収納物１０の一縁部１０ａの近傍部分に設けられているが、収納物１０の一縁部１０ａを含む部分に設けられていてもよい。
【００４６】
また、第１実施形態では、部分弱接着部１１は、上フィルム２の一縁部２ａの近傍部分に設けられているが、図５に示すように、部分弱接着部１１は、上フィルム２の他縁部２ｂの近傍部分に設けられていてもよい。また、特に図示しないが、第２実施形態のように部分弱接着部１１が下フィルム３に設けられる場合において、該部分弱接着部１１が下フィルム３の他縁部３ｂの近傍部分に設けられていてもよい。
【００４７】
（部分弱接着部の形成数）
上記第１及び第２実施形態において、部分弱接着部１１は、１箇所形成されているが、２箇所以上形成してもよい。
上フィルム２に部分弱接着部１１が設けられる場合、例えば、図６（ａ）に示すように、２つの部分弱接着部１１が、上フィルム２の一縁部２ａの近傍部分（又は一縁部２ａを含む部分）であって、両側縁部２ｃ，２ｃの近傍部分に、それぞれ並設されていることが好ましい。この場合、一方の側縁部２ｃ近傍に設けられる第１の部分弱接着部１１’と他方の側縁部２ｃ近傍に設けられる第２の部分弱接着部１１”との間隔Ｌは、指を圧入できる程度（例えば、１０ｍｍ〜２０ｍｍ）に形成されていることが好ましい。前記第１の部分弱接着部１１’と第２の部分弱接着部１１”との間の間隙に指を圧入すると、指の肉厚によって、上フィルム２と収納物１０を離反させ、第１及び第２の部分弱接着部１１’，１１”を容易に剥離することができるからである。
なお、１つの部分弱接着部１１の形成面積を小さくすれば、図６（ｂ）に示すように、上記第１及び第２の部分弱接着部１１’，１１”を他縁部２ｂ方向に所定間隔をあけて連なった複数個で構成しても上記と同様の効果を期待できる。
また、特に図示しないが、第２実施形態のように部分弱接着部１１が下フィルム３に設けられる場合において、上記上フィルム２に設けられる場合と同様にして、２つの部分弱接着部１１が、収納物１０の一縁部１０ａの近傍部分であって、下フィルム３の両側縁部３ｃ，３ｃの近傍位置に、それぞれ並設されていてもよい。
【００４８】
（接着層の形成）
上記第１及び第２実施形態では、接着層８は、上フィルム２の下面全体（第２実施形態の場合には、下フィルム３の上面全体）に、ベタ状に設けられているが、例えば、感熱性接着剤からなる接着層８が、上下フィルム２，３を接着する周縁接着部の対応部分及び易剥離層９の対応部分に、それぞれ部分的に設けられていてもよい。
また、上記第１実施形態では、部分弱接着部１１を形成するために、上フィルム２の下面に接着層８が設けられ、且つ収納物１０の上面に易剥離層９が設けられているが、上フィルム２の下面に易剥離層９が設けられ、且つ収納物１０の上面に接着層８が設けられ、該接着層８を易剥離層９に部分的に接着することにより部分弱接着部１１が形成されていてもよい。
さらに、上記第２実施形態では、部分弱接着部１１を形成するために、下フィルム３の上面に接着層８が設けられ、且つ収納物１０の下面に易剥離層９が設けられているが、上記と同様に、下フィルム３の上面に易剥離層９が設けられ、且つ収納物１０の下面に接着層８が設けられ、該接着層８を易剥離層９に部分的に接着することにより部分弱接着部１１が形成されていてもよい。
【００４９】
また、感熱性接着剤などの接着剤を用いずに、上下フィルム２，３を接着する周縁接着部を形成することもできる。例えば、シーラント層が積層された上下フィルム２，３を用いることにより、上フィルム２の下面縁部に感熱性接着剤からなる接着層８を設けずに、前記シーラント層同士の熱溶着により、上下フィルム２，３の周縁接着部を形成することもできる。
【００５０】
（接着層の形成材料）
また、上記第１及び第２実施形態では、部分弱接着部１１を構成する接着層８（易剥離層９に接着させる接着層８）は、感熱性接着剤で形成されているが、これに限られず、例えば、室温で接着する接着剤（エマルジョン型接着剤など）を用いることもできる。
また、部分弱接着部１１を構成する接着層８は、感圧型粘着剤、感熱性粘着剤などの各種の粘着剤によって形成することもできる。かかる部分弱接着部１１は、粘着剤からなる接着層８を易剥離層９に接着することにより形成されるので、部分弱接着部１１を剥がして取り出した収納物１０を再収納した際、粘着剤からなる接着層８を易剥離層９に接着することができる。従って、使用者が、収納物１０を収納ラベル１に再収納して保管している間に、収納物１０が紛失することを防止できる。
【００５１】
（上下フィルム及び収納物の一縁部）
上記第１及び第２実施形態では、上フィルム２の一縁部２ａの外側に、収納物１０の一縁部１０ａが延出され、該収納物１０の一縁部１０ａの外側に、下フィルム３の一縁部３ａが延出されているが、これに限られず、様々に変形することができる。
例えば、図７（ａ）に示すように、上フィルム２の一縁部２ａと収納物１０の一縁部１０ａが略一致し、且つ上フィルム２の一縁部２ａの外側に下フィルム３が延出されている収納ラベル１や、同図（ｂ）に示すように、上フィルム２の一縁部２ａの内側に、収納物１０の一縁部１０ａが位置するように収納物１０が収納され、且つ上フィルム２の一縁部２ａの外側に、下フィルム３が延出されている収納ラベル１でもよい。
このように、上フィルム２の一縁部２ａの外側に下フィルム３の一縁部３ａが延出されている収納ラベル１は、下フィルム２の延出上面に指を当てながら開口４へと指を滑り込ませることにより、上フィルム２の下面と収納物１０の上面（または下フィルム３の上面と収納物１０の下面）の間に指を入れやすくなる。このため、部分弱接着部１１の剥離作業を容易に行うことができる。
【００５２】
また、特に図示しないが、（Ａ）上フィルム２の一縁部２ａ、収納物１０の一縁部１０ａ及び下フィルム３の一縁部３ａが略一致している収納ラベル１や、（Ｂ）上フィルム２の一縁部２ａ及び下フィルム３の一縁部３ａが略一致し、且つ上フィルム２の一縁部２ａの外側に収納物１０の一縁部１０ａが延出されている収納ラベル１や、（Ｃ）上フィルム２の一縁部２ａ及び下フィルム３の一縁部３ａが略一致し、且つ上フィルムの一縁部２ａの内側に収納物１０の一縁部１０ａが位置されている収納ラベル１、などでもよい。
【図面の簡単な説明】
【００５３】
【図１】第１実施形態の収納ラベルを示す平面図。但し、網掛けは、周縁接着部を示し、薄墨塗りは、部分弱接着部を示す（他の平面図についても同様である）。
【図２】（ａ）は、図１のI−I線端面図、（ｂ）は、図１のII−II線端面図。
【図３】収納ラベルの製造方法の一実施形態を示す一部省略平面図。
【図４】第２実施形態の収納ラベルを示す端面図。なお、図４の端面図は、第２実施形態の収納ラベルを、図１のI−I線と同じ方向（以下、横方向という）で切断した端面図である。
【図５】他の実施形態の収納ラベルを示す平面図。
【図６】（ａ）、（ｂ）ともに、他の実施形態の収納ラベルを示す平面図。
【図７】（ａ）、（ｂ）ともに、他の実施形態の収納ラベルを横方向で切断した端面図。
【符号の説明】
【００５４】
１…収納ラベル、２…上フィルム、２ａ…上フィルムの一縁部、３…下フィルム、３ａ…下フィルムの一縁部、４…開口、５…収納部、６…ラベル本体、７…貼着層、８…接着層、９…易剥離層、１０…収納物、１０ａ…収納物の一縁部、１１…部分弱接着部
【図１】
2008286906.tif 000003
【図２】
2008286906.tif 000004
【図３】
2008286906.tif 000005
【図４】
2008286906.tif 000006
【図５】
2008286906.tif 000007
【図６】
2008286906.tif 000008
【図７】
2008286906.tif 000009